(57)【要約】【課題】投影機構から出射される光の光路を確保することができる排紙装置を提供する。【解決手段】排紙装置は、紙を排出する排紙機構と、光を出射することによって所定の投影面に画像を投影させる投影機構と、を備える。また、排紙装置は、その筐体に、排紙機構によって紙が排出される排出口と、排紙機構によって排出口から排出された紙の載置又は取出しのための排紙空間と、を有する排紙部と、を備える。排紙装置において、投影機構の少なくとも一部は、筐体における排出口から排出された紙の載置又は取出しのための排紙空間に接する位置に配置された。【選択図】図２
2008048011.tif 000002
【特許請求の範囲】
【請求項１】
紙を排出する排紙機構と、
光を出射することによって所定の投影面に画像を投影させる投影機構と、
前記排紙機構と前記投影機構とを内蔵する筐体と、
前記筐体に、前記排紙機構によって紙が排出される排出口と、前記排紙機構によって前記排出口から排出された紙の載置又は取出しのための排紙空間と、を有する排紙部と、を備えた排紙装置であって、
前記投影機構の少なくとも一部は、前記筐体における前記排紙空間に接する位置に配置されたことを特徴とする排紙装置。
【請求項２】
前記排紙空間は、前記筐体の胴部に形成され、所定方向に開放されていることを特徴とする請求項１に記載の排紙装置。
【請求項３】
前記筐体に内蔵され、前記紙に印刷を行う印刷機構を備え、
前記排紙機構は、前記印刷機構によって印刷された紙を排出する機能を有し、
前記印刷機構が配置されている位置から前記排紙空間を跨いだ位置に前記投影機構が配置されることを特徴とする請求項２に記載の排紙装置。
【請求項４】
前記筐体における前記排紙空間の前記所定方向とは逆方向に前記投影機構が配置されることを特徴とする請求項２に記載の排紙装置。
【請求項５】
前記投影機構は、水平方向に光を出射することを特徴とする請求項４に記載の排紙装置。
【請求項６】
前記投影機構は、前記排紙空間の上方に配置され、前記排紙装置が設置された設置面に光を出射することを特徴とする請求項２又は３に記載の排紙装置。
【請求項７】
前記投影機構は、前記排紙空間の下方に配置され、上方に光を出射することを特徴とする請求項２又は３に記載の排紙装置。
【請求項８】
前記投影機構は、光を出射するための光源を有し、
前記排紙部に紙があるか否かを検知する排紙検知部と、
前記排紙部に紙があると前記排紙検知部によって検知された場合には、前記投影機構における前記光源の発光を停止させる制御を行う光源制御部と、を備えたことを特徴とする請求項１から７のいずれかに記載の排紙装置。
【請求項９】
画像を読み取る画像読取機構を備え、
前記投影機構と前記画像読取機構との光源を共有することを特徴とする請求項１から８のいずれかに記載の排紙装置。
【請求項１０】
前記投影機構と前記印刷機構とで部品を共有することを特徴とする請求項３に記載の排紙装置。
【請求項１１】
前記投影機構には光学部品が含まれており、
前記光学部品の少なくとも一部は、前記排紙空間に接する位置に配置されていることを特徴とする請求項１から１０のいずれかに記載の排紙装置。
【請求項１２】
前記光学部品には、前記排紙空間に面する保護部材が含まれていることを特徴とする請求項１１に記載の排紙装置。
【請求項１３】
前記光学部品が前記排紙空間に面する位置には、当該排紙空間に面する光学部品を覆うカバー部材が開閉自在に配置されることを特徴とする請求項１１又は１２に記載の排紙装置。
【請求項１４】
前記排紙空間に物体が存在するか否かを検知する物体検知部と、
前記物体検知部によって前記排紙空間に物体が存在すると検知された場合には、所定の報知を行う物体存在報知部と、を備えたことを特徴とする請求項１から１３のいずれかに記載の排紙装置。
【請求項１５】
前記排紙機構による紙の排出を検知する排紙検知部と、
前記排紙検知部によって前記排紙機構による紙の排出が検知された場合には、所定の報知を行う排紙報知部と、を備えたことを特徴とする請求項１から１４のいずれかに記載の排紙装置。
【発明の詳細な説明】
【技術分野】
【０００１】
本発明は、排紙装置に関するものであり、特に、紙を排出する排紙機構と、光を出射することによって所定の投影面に画像を投影させる投影機構と、を備えた排紙装置に関する。
【背景技術】
【０００２】
従来、排紙装置には、プリンタ機能やコピー機能、ファックス機能などの紙に印刷をする印刷機構、スキャナ機能などの画像を読み取る画像読取機構、プロジェクタ機能などの画像を投影する投影機構など、各種の機構を筐体に備えた機器がある。
【０００３】
このような排紙装置においては、例えば、特許文献１に示すように、紙に印刷をする印刷機構、画像を読み取る画像読取機構、画像を投影する投影機構など、各種の機構が上下方向に縦装されており、各種の機構が数多く存在しても、場所を取らずに、これらの機構を設置することができるものが開示されている。
【特許文献１】特開２００２−５２２０６４号公報
【発明の開示】
【発明が解決しようとする課題】
【０００４】
しかしながら、上述したような排紙装置では、各種の機構を備えているが、光を投射する投影機構が最上位機構として配置されており、その機構中央から光が出射されるため、投影機構の光路を十分に確保できないおそれがあり、投影機構の光路ができる限り確保できるような構成が望まれていた。また、例えば、投影機構が最上位機構として上方に向かって突出しているため、サイズの大型化を招くとともに、破損のおそれもあった。
【０００５】
本発明は、上述したような課題に鑑みてなされたものであり、投影機構から出射される光の光路を確保することができる排紙装置を提供することを目的とする。
【課題を解決するための手段】
【０００６】
以上のような目的を達成するために、本発明は、以下のようなものを提供する。
【０００７】
すなわち、請求項１記載の本発明では、紙を排出する排紙機構と、光を出射することによって所定の投影面に画像を投影させる投影機構と、前記排紙機構と前記投影機構とを内蔵する筐体と、前記筐体に、前記排紙機構によって紙が排出される排出口と、前記排紙機構によって前記排出口から排出された紙の載置又は取出しのための排紙空間と、を有する排紙部と、を備えた排紙装置であって、前記投影機構の少なくとも一部は、前記筐体における前記排紙空間に接する位置に配置されたことを特徴とするものである。
【０００８】
また、請求項２記載の本発明では、請求項１に記載の発明において、前記排紙空間は、前記筐体の胴部に形成され、所定方向に開放されていることを特徴とするものである。
【０００９】
また、請求項３記載の本発明では、請求項２に記載の発明において、前記筐体に内蔵され、前記紙に印刷を行う印刷機構を備え、前記排紙機構は、前記印刷機構によって印刷された紙を排出する機能を有し、前記印刷機構が配置されている位置から前記排紙空間を跨いだ位置に前記投影機構が配置されることを特徴とするものである。
【００１０】
また、請求項４記載の本発明では、請求項２に記載の発明において、前記筐体における前記排紙空間の前記所定方向とは逆方向に前記投影機構が配置されることを特徴とするものである。
【００１１】
また、請求項５記載の本発明では、請求項４に記載の発明において、前記投影機構は、水平方向に光を出射することを特徴とするものである。
【００１２】
また、請求項６記載の本発明では、請求項２又は３に記載の発明において、前記投影機構は、前記排紙空間の上方に配置され、前記排紙装置が設置された設置面に光を出射することを特徴とするものである。
【００１３】
また、請求項７記載の本発明では、請求項２又は３に記載の発明において、前記投影機構は、前記排紙空間の下方に配置され、上方に光を出射することを特徴とするものである。
【００１４】
また、請求項８記載の本発明では、請求項１から７のいずれかに記載の発明において、前記投影機構は、光を出射するための光源を有し、前記排紙部に紙があるか否かを検知する排紙検知部と、前記排紙部に紙があると前記排紙検知部によって検知された場合には、前記投影機構における前記光源の発光を停止させる制御を行う光源制御部と、を備えたことを特徴とするものである。
【００１５】
また、請求項９記載の本発明では、請求項１から８のいずれかに記載の発明において、画像を読み取る画像読取機構を備え、前記投影機構と前記画像読取機構との光源を共有することを特徴とするものである。
【００１６】
また、請求項１０記載の本発明では、請求項３に記載の発明において、前記投影機構と前記印刷機構とで部品を共有することを特徴とするものである。
【００１７】
また、請求項１１記載の本発明では、請求項１から１０のいずれかに記載の発明において、前記投影機構には光学部品が含まれており、前記光学部品は、前記排紙空間に面する光学部品を有することを特徴とするものである。
【００１８】
また、請求項１２記載の本発明では、請求項１１に記載の発明において、前記光学部品には、前記排紙空間に面する保護部材が含まれていることを特徴とするものである。
【００１９】
また、請求項１３記載の本発明では、請求項１１又は１２に記載の本発明では、前記光学部品が前記排紙空間に面する位置には、当該排紙空間に面する光学部品を覆うカバー部材が開閉自在に配置されることを特徴とするものである。
【００２０】
また、請求項１４記載の本発明では、請求項１から１３のいずれかに記載の発明において、前記排紙空間に物体が存在するか否かを検知する物体検知部と、前記物体検知部によって前記排紙空間に物体が存在すると検知された場合には、所定の報知を行う物体存在報知部と、を備えたことを特徴とするものである。
【００２１】
また、請求項１５記載の本発明では、請求項１から１４のいずれかに記載の発明において、前記排紙機構による紙の排出を検知する排紙検知部と、前記排紙検知部によって前記排紙機構による紙の排出が検知された場合には、所定の報知を行う排紙報知部と、を備えたことを特徴とするものである。
【発明の効果】
【００２２】
請求項１に記載の発明によれば、光を出射することによって所定の投影面に画像を投影させる投影機構は、出射される光が排紙機構によって排出口から排出された紙の載置又は取出しのための排紙空間に接する位置に配置された。従って、排紙空間を有効に用いることによって、投影機構から出射される光の光路を確保することができる。
【００２３】
請求項２に記載の発明によれば、排紙空間は、筐体の胴部に形成され、所定方向に開放されている。従って、排紙機構が、筐体の胴部に設けられることによって、その筐体から突出することがなく、排紙装置の小型化を図り、更に、破損を防止することができる。更には、筐体の胴部から所定方向に向かって光を出射する構成となるため、投影機構から出射される光の光路を確保することができる。
【００２４】
請求項３に記載の発明によれば、紙に印刷を行う印刷機構が配置されている位置から排紙空間を跨いだ位置に投影機構が配置される。従って、印刷機構の熱が伝わる可能性を低めることができる。
【００２５】
請求項４に記載の発明によれば、筐体における排紙空間の所定方向とは逆方向に投影機構が配置される。従って、開放されている所定方向とは逆方向に投影機構が配置されることによって、より一層、投影機構から出射される光の光路を確保することができる。
【００２６】
請求項５に記載の発明によれば、投影機構は水平方向に光を出射する。従って、水平方向に画像を投影する場合に、投影機構から出射される光の光路を確保することができる。
【００２７】
請求項６に記載の発明によれば、投影機構は、排紙空間の上方に配置され、排紙装置が設置された設置面に光を出射する。従って、設置面に対して画像を投影する場合に、投影機構から出射される光の光路を確保することができる。
【００２８】
請求項７に記載の発明によれば、投影機構は、排紙空間の下方に配置され、上方に光を出射する。従って、天井に対して画像を投影する場合に、投影機構から出射される光の光路を確保することができる。
【００２９】
請求項８に記載の発明によれば、排紙部に紙があると検知された場合には、投影機構における光源の発光を停止させる制御を行う。従って、排紙部に紙がある場合に、その排出された紙が検知され、自動的に投影機構における光源の発光を停止させることとなり、光源による消費電力を低減させ、光源の製品寿命を永らえることができる。また、光源からの光による紙焼けなどを防止することもできる。
【００３０】
請求項９に記載の発明によれば、投影機構と、画像を読み取る画像読取機構との光源を共有する。従って、投影機構と画像読取機構とで別々に光源を備える必要がなく、光源による消費電力を低減させ、部品点数の減少と、排紙装置のサイズの小型化とを図ることができる。
【００３１】
請求項１０に記載の発明によれば、投影機構と印刷機構とで部品を共有するため、部品点数の減少と、排紙装置のサイズの小型化とを図ることができる。
【００３２】
請求項１１に記載の発明によれば、投影機構には光学部品が含まれており、その光学部品の少なくとも一部は、排紙空間に接する位置に配置される。従って、光源からの光を排紙空間から出射させることができる。
【００３３】
請求項１２に記載の発明によれば、光学部品には、排紙空間に面する保護部材が含まれている。従って、ごみや埃などから光学部品を保護することができる。
【００３４】
請求項１３に記載の発明によれば、光学部品が排紙空間に面する位置には、その排紙空間に面する光学部品を覆うカバー部材が開閉自在に配置される。従って、使用時、未使用時など、開閉自在にカバー部材によって、ごみや埃などから光学部品を保護することができる。
【００３５】
請求項１４に記載の発明によれば、排紙空間に物体が存在すると検知された場合には、所定の報知を行う。従って、排紙空間に物体が存在することが認識可能となり、物体があるときの投影機構の使用を防止することができる。
【００３６】
請求項１５に記載の発明によれば、排紙機構による紙の排出が検知された場合には、所定の報知を行う。従って、排紙機構による紙の排出が認識可能となるため、紙の排出が行われるときの投影機構の使用を防止することができる。
【発明を実施するための最良の形態】
【００３７】
以下に、本発明に好適な実施形態について図面に基づいて説明する。
【００３８】
［排紙装置の構成］
本実施形態における排紙装置（以降、「複合機」と称することもある）について図１から図３を用いて以下に説明する。
【００３９】
図１に示すように、複合機１０は、各種の機能が複合された装置である。本実施形態における複合機１０には、用紙を複写するコピー機能、電話回線からの信号に基づいて画像を印刷するファックス機能、コンピュータからの信号に基づいて文書や画像を印刷するプリンタ機能、用紙に描かれている画像を画像データとして取り込むスキャナ機能、光を投影することによって画像を表示させるプロジェクタ機能などが備えられている。
【００４０】
つまり、詳しくは後述するが、複合機１０は、上述したコピー機能、スキャナ機能を有するために、紙などの媒体に描かれた画像を画像データとして読み取る画像読取機構４０（図２参照）と、コピー機能、ファックス機能、プリンタ機能を有するために、紙に画像を印刷する印刷機構５０（図２参照）と、印刷機構５０によって画像が印刷された紙を排紙するための排紙機構６０（図２参照）と、プロジェクタ機能を有するために、光を投影する投影機構７０（図２参照）と、を備えている。
【００４１】
複合機１０は、その筐体１２の胴部に凹形状の排紙空間１４が形成されている。後から後述するが、この胴部に形成された排紙空間１４は、排紙機構６０によって排紙される紙の載置又は取出しのための空間であり、投影機構７０の少なくとも一部がこの排紙空間１４に接するように配置されることとなる。また、排紙空間１４は、筐体１２の胴部に形成され、所定方向（例えば、前方など）に開放されている。このため、排紙機構６０が、筐体１２の胴部に設けられることによって、その筐体１２から突出することがなく、複合機１０の小型化を図り、更に、破損を防止することができる。更には、筐体１２の胴部から所定方向に向かって光を出射する構成となるため、投影機構７０から出射される光の光路を確保することができる。
【００４２】
複合機１０の排紙空間１４の上方には、各種の操作スイッチなどが含まれる操作パネル１６が設けられている。また、操作パネルの中央には、各種の画像を表示するや表示装置１７が設けられている。また、操作パネル１６の上方には、原稿台カバー１８が開閉自在に配設されている。この原稿台カバー１８を開くことによって、原稿台に原稿を配置することが可能となる。また、原稿台カバー１８の上方には、連続して原稿を読み取ることが可能な自動原稿送り装置２０が配置されている。この自動原稿送り装置２０は、原稿配置部２２と、原稿排出部２４とを含み、原稿配置部２２に配置された原稿が、内部に設けられた搬送ローラ（図示せず）によって内部に搬送され、順次画像が読み取られた後に、原稿が原稿排出部２４に排出されることとなる。また、複合機１０の排紙空間１４の下方には、手差しトレイ２６が設けられており、その手差しトレイの下方には、記録紙トレイ２８が設けられている。手差しトレイ２６、記録紙トレイ２８は、開閉自在であり、所定のサイズの記録紙が載置され、印刷される場合に搬送されることとなる。
【００４３】
また、図２に示すように、複合機１０の筐体１２には、画像読取機構４０、印刷機構５０、排紙機構６０、投影機構７０、制御回路８０が内蔵されている。
【００４４】
複合機１０の原稿台カバー１８の下方には、原稿台３０が設けられている。この原稿台３０には、ユーザの手によって、又は、自動原稿送り装置２０の搬送によって、原稿が配置されることとなる。
【００４５】
原稿台３０の下方には、原稿に描かれた画像を読み取る画像読取機構４０が配設されている。この画像読取機構４０は、画像読取部４２と画像読取ユニット４４とを含んだ構成である。画像読取部４２は、原稿台３０の下方から光を照射することともに、その反射された光を受光することによって、原稿に描かれた画像を画像データとして読み取る。また、画像読取ユニット４４は、画像読取部４２を制御するユニットであり、画像読取部４２を移動させたり、光を照射させたり、読み取った画像データを後述する制御回路８０に供給する機構を有する。また、画像読取機構４０は、後述する投影機構７０と光源を共有しており、図２及び図３に示すように、導光部４６を介して、投影機構７０のランプ７２からの光が導かれることとなる。このように、投影機構７０と、画像を読み取る画像読取機構４０との光源を共有する。従って、投影機構７０と画像読取機構４０とで別々に光源を備える必要がなく、光源による消費電力を低減させ、部品点数の減少と、複合機１０のサイズの小型化とを図ることができる。
【００４６】
図２に示すように、複合機１０の排紙空間１４の下方には、筐体１２に内蔵され、記録紙（紙）に印刷を行う印刷機構５０が配設されている。この印刷機構５０は、上述した手差しトレイ２６又は記録紙トレイ２８のいずれかに載置された記録紙を搬送し、画像の印刷を行う機構である。特に、コピー機能が選択されている場合には、画像読取機構４０によって読み取られ、制御回路８０から供給される画像データを受け取り、その画像データに基づく画像を記録紙に印刷し、ファックス機能、プリンタ機能が選択されている場合には、制御回路８０から供給される画像データを受け取り、その画像データに基づく画像を記録紙に印刷することとなる。
【００４７】
複合機１０の印刷機構５０の近傍には、印刷機構５０によって印刷された記録紙を排紙する排紙機構６０が配設されている。この排紙機構６０は、搬送ローラ６２，６４，６６と、搬送路６７とを含む構成である。印刷機構５０によって印刷された記録紙は、搬送ローラ６２，６４，６６によって、印刷機構５０から搬送路６７を搬送され、筐体１２に形成された排出口６８から筐体１２外部の排紙空間１４に排紙される。尚、上述した排紙空間１４と、この排出口６８とは、記録紙が排紙される排紙部に相当する。
【００４８】
複合機１０の排紙空間１４の上方には、光を出射することによって所定の投影面に画像を投影させる投影機構７０が配設されている。尚、本実施形態においては、机の上であったり床であったり、複合機１０の排紙空間１４から下方に向かって光Ａを出射するような投影機構７０を備えている。つまり、この投影機構７０は、排紙空間１４の上方に配置され、複合機１０が設置された設置面に光を出射することとなるため、設置面に対して画像を投影する場合に、投影機構７０から出射される光の光路を確保することができる。また、この投影機構７０は、印刷機構５０が配置されている位置から排紙空間１４を跨いだ位置に配置されているおり、印刷機構５０の熱が伝わる可能性を低めることができる。
【００４９】
また、この投影機構７０は、光を出射するための光源となるランプ７２と、そのランプ７２からの光を照射するための照明光学系７４と、照明光学系７４からの光を変調させるための光変調素子７６と、光変調素子７６からの光を結像させるための結像光学系７８と、を含む構成である。また、この結像光学系７８の一部が排紙空間１４に接しており、その結像光学系７８からの光が投影面に結像されることとなる。つまり、投影機構７０には、光学部品が含まれており、その光学部品の少なくとも一部は、排紙空間１４に接する位置に配置されているため、光源からの光を排紙空間から出射させることができる。また、言い換えると、投影機構７０の少なくとも一部は、筐体１２における排紙空間１４に接する位置に配置されているため、排紙空間を有効に用いることによって、投影機構７０から出射される光の光路を確保することができる。
【００５０】
また、この投影機構７０のランプ７２からの光は、図２及び図３に示すように、導光部４６を介して、画像読取機構４０に導かれる。つまり、投影機構７０と光源は、画像読取機構４０に共有されており、投影機構７０と画像読取機構４０とで別々に光源を備える必要がなく、光源による消費電力を低減させ、部品点数の減少と、複合機１０のサイズの小型化とを図ることができる。
【００５１】
図２に示すように、複合機１０の印刷機構５０の近傍には、制御回路８０が配置されている。この制御回路８０は、複合機１０の全体的な制御を行う回路であり、具体的には、画像読取機構４０、印刷機構５０、排紙機構６０、投影機構７０などを制御する機能を有する。
【００５２】
また、複合機１０の排紙空間１４の上下には、物体検知センサ９６が配置されており、排紙空間に記録紙などが排紙された場合や、別の物体が配置されている場合には、その旨が検知可能となっている。つまり、この物体検知センサ９６は、排紙空間１４（排紙部の一部）に紙や物体が存在するか否かを検知することとなる。尚、本実施形態において、このような物体検知センサ９６は、排紙検知部、物体検知部に相当する。
【００５３】
複合機１０の電気的な構成について図４を用いて以下に説明する。
【００５４】
図４に示すように、複合機１０においては、制御回路８０と、操作パネル１６、表示装置１７、画像読取機構４０、印刷機構５０、排紙機構６０、投影機構７０、各種センサ９８などが電気的に接続されている。
【００５５】
制御回路８０は、ＣＰＵ８２、ＲＯＭ（読み出し専用メモリ）８４、ＲＡＭ（読み書き可能メモリ）８６、ＨＤＤ（ハードディスクドライブ）８８、通信制御回路９０を備えている。この制御回路８０は、複合機１０の制御を行う。
【００５６】
ＣＰＵ８２には、ＲＯＭ８４、ＲＡＭ８６、ＨＤＤ８８、通信制御回路９０等が接続されており、このＲＯＭ８４やＨＤＤ８８に記憶されたプログラムに従って、各種の処理を実行する機能を有する。ＲＯＭ８４やＨＤＤ８８には、ＣＰＵ８２により複合機１０の動作を制御するためのプログラムが記憶されている。ＲＡＭ８６は、ＣＰＵ８２の一時記憶領域として種々のフラグや変数の値を記憶する機能を有する。通信制御回路９０は、各種のネットワークでの通信に関する制御を行うことによって、ファックス機能やプリンタ機能が実行可能となる。
【００５７】
操作パネル１６は、ユーザの操作に応じて、操作信号を制御回路８０に供給する。表示装置１７は、制御回路８０から供給される命令や画像データを受け取り、画像を表示する。画像読取機構４０は、各種の命令を制御回路８０から受け取り、画像データを制御回路８０に供給する。印刷機構５０は、各種の命令や画像データを制御回路８０から受け取り、印刷を行う。排紙機構６０は、各種の命令を制御回路８０から受け取り、記録紙の搬送（排紙）を行う。投影機構７０は、各種の命令や画像データを制御回路８０から受け取り、光の出射を行うことによって、画像を表示する。各種センサ９８には、物体検知センサ９６が含まれており、排紙空間１４に紙や物体が存在する（ある）と検知した場合には、物体検知センサ９６から制御回路８０に検知信号が供給される。
【００５８】
このような構成の複合機１０において実行される処理について図５及び図６を用いて以下に説明する。
【００５９】
制御回路８０において、ＣＰＵ８２は、所定のタイミングで（所定の周期で）図５に示すような処理を実行する。
【００６０】
最初に、図５に示すように、ＣＰＵ８２は、排紙空間１４に紙や物体が存在するか否かを判定する（ステップＳ１１）。この処理において、ＣＰＵ８２は、物体検知センサ９６からの信号に応じて、排紙空間１４に紙や物体が存在するか否かを判定することとなる。ＣＰＵ８２は、排紙空間１４に紙や物体が存在すると判定した場合には、物体が存在する旨の報知を表示装置１７に行わせる（ステップＳ１２）。つまり、物体存在報知部としての表示装置１７は、物体検知センサ９６によって排紙空間１４に紙などの物体が存在すると検知された場合には、所定の報知を行うこととなり、排紙空間１４に物体が存在することが認識可能となり、物体があるときの投影機構７０の使用を防止することができる。そして、ＣＰＵ８２は、投影機能が有効であるか否かを判定する（ステップＳ１３）。ＣＰＵ８２は、投影機構７０に対して投影命令を供給したか否か、投影機構７０からの終了信号などを受け取ったか否かによって、投影機能が有効であるか否かを判定することとなる。ＣＰＵ８２は、投影機能が有効であると判定した場合には、発光停止命令を投影機構７０に供給することによって、光源としてのランプ７２の発光を停止させる制御を行う光源発光停止制御処理を実行し（ステップＳ１４）、本サブルーチンを終了する。つまり、光源制御部としてのＣＰＵ８２は、排紙空間１４（排紙部の一部）に紙があると物体検知センサ９６によって検知された場合には、投影機構７０におけるランプ７２の発光を停止させる制御を行うこととなる。これによって、排紙空間１４に紙がある場合に、その排出された紙が検知され、自動的に投影機構７０における光源の発光を停止させることとなり、光源による消費電力を低減させ、光源の製品寿命を永らえることができる。また、光源からの光による紙焼けなどを防止することもできる。尚、ＣＰＵ８２は、ステップＳ１１において排紙空間１４に紙や物体が存在しないと判定した場合や、ステップＳ１３において投影機能が有効であると判定した場合などは、ステップＳ１２やステップＳ１４を実行することなく、本サブルーチンを終了する。
【００６１】
制御回路８０において、ＣＰＵ８２は、所定のタイミングで（所定の周期で）図６に示すような処理を実行する。
【００６２】
最初に、図６に示すように、ＣＰＵ８２は、排紙空間１４に紙を排紙するか否かを判定する（ステップＳ２１）。この処理において、ＣＰＵ８２は、排紙機構６０に排紙命令を供給したことを条件に、排紙空間１４に紙を排紙したと判定することとなり、排紙機構６０による紙の排出を検知することとなる。つまり、このような処理を実行するＣＰＵ８２は、排紙検知部に相当する。そして、ＣＰＵ８２は、排紙空間１４に紙を排紙したと判定した場合には、紙が排紙される旨の報知を表示装置１７に行わせる（ステップＳ２２）。つまり、排紙報知部としての表示装置１７は、排紙機構６０による紙の排出が検知された場合には、所定の報知を行うこととなり、排紙機構６０による紙の排出が認識可能となるため、紙の排出が行われるときの投影機構７０の使用を防止することができる。この処理が終了した場合には、本サブルーチンを終了する。一方、ステップＳ２１において、ＣＰＵ８２は、排紙空間１４に紙を排紙していないと判定した場合には、ステップＳ２２を実行することなく、本サブルーチンを終了する。
【００６３】
このように、光を出射することによって所定の投影面に画像を投影させる投影機構７０は、出射される光が排紙機構６０によって排出口６８から排出された紙の載置又は取出しのための排紙空間１４に接する位置に配置されたため、排紙空間１４を有効に用いることによって、投影機構７０から出射される光の光路を確保することができる。
【００６４】
尚、上述した実施形態において、排紙空間１４の上方に投影機構７０を備えたが、これに限らず、例えば、排紙空間１４における開放された方向とは逆の方向に、投影機構を備えてもよい。具体的には、図７に示すように、筐体１２の前方に開放された排紙空間１４が設けられている場合には、その開放された前方とは逆方向（後方）に、投影機構７０が配設されている。また、投影機構７０は、略水平方向に光を出射するように配置されている。これによって、開放されている所定方向とは逆方向に投影機構７０が配置されることによって、より一層、投影機構から出射される光の光路を確保することができる。また、水平方向に画像を投影する場合に、投影機構７０から出射される光の光路を確保することができる。
【００６５】
また、例えば、排紙空間１４の下方に投影機構を備えてもよい。具体的には、図８に示すように、排紙空間１４の下方であり、印刷機構５０の上方に投影機構７０を備えた。つまり、投影機構７０は、排紙空間１４の下方に配置され、上方に光を出射することとなるため、例えば、天井などに対して画像を投影する場合に、投影機構７０から出射される光の光路を確保することができる。また、この投影機構７０の結像光学系７８が排紙空間１４に接することとなるが、排紙空間１４に接する結像光学系７８に、排紙空間に面するカバー９２（保護部材、カバー部材の一例）が配置されている。そして、このカバー９２は、結像光学系７８を開閉自在に変位可能である。つまり、このカバー９２は、結像光学系７８（光学部品）が排紙空間１４に面する位置に、その排紙空間１４に面する結像光学系７８を覆うように開閉自在に配置されている。このため、使用時、未使用時など、開閉自在にカバー９２によって、ごみや埃などから結像光学系７８を保護することができる。
【００６６】
更には、カバー９２の近傍には、そのカバー９２の開閉を検知するためのカバー開閉検知センサ（図示せず）が配置されている。このカバー開閉検知センサは、図４における各種センサ９８に含まれており、カバー９２の開閉を示す信号を制御回路８０に供給することとなる。これによって、図９に示すように、ＣＰＵ８２は、カバー９２が閉鎖されているか否かを判定する（ステップＳ３１）。ＣＰＵ８２は、カバー９２が閉鎖されていると判定された場合には、更に、投影機能が有効であるか否かを判定し（ステップＳ３２）、投影機能が有効であると判定した場合には、カバーが閉鎖されている旨の報知を表示装置１７に行わせる制御を行い（ステップＳ３３）、本サブルーチンを終了する。これによって、報知によりカバー９２の閉鎖が認識可能となり、投影機構７０による光の投影がカバー９２によって干渉されることを防止することができる。
【００６７】
更にまた、上述した実施形態においては、図２に示すように、投影機構７０が、排紙空間１４の上方に配置される場合には下方に向かって画像を投影し、図８に示すように、排紙空間１４の下方に配置される場合には上方に向かって画像を投影するような構成としたが、これに限らず、例えば、図１０に示すように、排紙空間１４の下方に配置される場合であっても、反射ミラー９４を配置することによって、下方に向かって画像を投影するような構成としてもよい。もちろん、排紙空間１４の上方に配置される場合であっても、反射ミラーを配置することによって、上方に向かって画像を投影するような構成としてもよい。
【００６８】
更にまた、上述した実施形態においては、排紙空間１４を筐体１２の胴部に設けたが、これに限らず、例えば、図１１に示すように、筐体１２の上部に排紙空間１４を設けてもよい。また、図１に示す自動原稿送り装置２０における原稿排出部２４を、排紙空間として採用してもよい。
【００６９】
更にまた、上述した実施形態においては、投影機構７０における光源としてランプ７２を用いたが、これに限らず、例えば、ランプ７２の代わりに、ＬＥＤやレーザを発生するレーザ発生装置であってもよい。この場合において、具体的には、図１２に示すように、レーザ発生装置１０２は、ガルバノミラー１０４にレーザを出射し、そのガルバノミラー１０４によって反射されたレーザが、ポリゴンミラー１０６などによって、照明光学系７４に走査されて出射されるように構成してもよい。また、上述した実施形態において、投影機構７０におけるランプ７２を、画像読取機構４０と共有したが、これに限らず、例えば、印刷機構５０や排紙機構６０などと共有してもよい。具体的には、図１１や図１３に示すように、上述したようなレーザ発生装置１０２によるレーザが、ガルバノミラー１０４、ポリゴンミラー１０６などによって反射され、定着ローラ６３に向かって出射されることによって、印刷機構５０から排紙される記録紙の定着に共用してもよい。また、この定着ローラ６３自体も、印刷機構５０と排紙機構６０との共用部品である。このため、投影機構７０と印刷機構５０（排紙機構６０）とで部品を共有することとなり、部品点数の減少と、複合機のサイズの小型化とを図ることができる。
【００７０】
更にまた、上述した実施形態においては、各種の報知を表示装置１７を用いて行ったが、これに限らず、例えば、音を発生することによって報知する音発生装置や、振動によって報知する振動装置など、他の報知手段を用いてもよく、これらの組み合わせであってもよい。もちろん、各種の報知を行わない構成であっても問題ない。
【００７１】
更にまた、上述した実施形態においては、複合機１０に、コピー機能、ファックス機能、プリンタ機能、スキャナ機能、プロジェクタ機能などが備えられており、上述したような画像読取機構４０、印刷機構５０、排紙機構６０、投影機構７０を筐体１２に内蔵させたが、これに限らず、例えば、それらの組み合わせのなかで、複合機でなくても、少なくとも排紙機構６０と投影機構７０とを備えた構成であればどの組み合わせであってもよい。つまり、少なくともプロジェクタ機能を有する排紙装置であればよい。
【００７２】
以上、本発明の実施の形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【図面の簡単な説明】
【００７３】
【図１】本実施形態における複合機を示す斜視図である。
【図２】本実施形態における複合機を示す説明図である。
【図３】本実施形態における複合機を示す説明図である。
【図４】本実施形態における複合機の電気的構成を示す説明図である。
【図５】本実施形態における複合機において実行されるフローチャートにおいて実行される制御処理を示すフローチャートである。
【図６】本実施形態における複合機において実行されるフローチャートにおいて実行される制御処理を示すフローチャートである。
【図７】本実施形態における複合機を示す説明図である。
【図８】本実施形態における複合機を示す説明図である。
【図９】本実施形態における複合機において実行されるフローチャートにおいて実行される制御処理を示すフローチャートである。
【図１０】本実施形態における複合機を示す説明図である。
【図１１】本実施形態における複合機を示す説明図である。
【図１２】本実施形態における複合機を示す説明図である。
【図１３】本実施形態における複合機を示す説明図である。
【符号の説明】
【００７４】
１  複合機
１２  筐体
１４  排紙空間
４０  画像読取機構
５０  印刷機構
６０  排紙機構
６８  排紙口
７０  投影機構
８０  制御回路
９２  カバー
９６  物体検知センサ
【図１】
2008048011.tif 000003
【図２】
2008048011.tif 000004
【図３】
2008048011.tif 000005
【図４】
2008048011.tif 000006
【図５】
2008048011.tif 000007
【図６】
2008048011.tif 000008
【図７】
2008048011.tif 000009
【図８】
2008048011.tif 000010
【図９】
2008048011.tif 000011
【図１０】
2008048011.tif 000012
【図１１】
2008048011.tif 000013
【図１２】
2008048011.tif 000014
【図１３】
2008048011.tif 000015
【手続補正書】
【提出日】平成19年5月10日(2007.5.10)
【手続補正１】
【補正対象書類名】明細書
【補正対象項目名】０００３
【補正方法】変更
【補正の内容】
【０００３】
このような排紙装置においては、例えば、特許文献１に示すように、紙に印刷をする印刷機構、画像を読み取る画像読取機構、画像を投影する投影機構など、各種の機構が上下方向に縦装されており、各種の機構が数多く存在しても、場所を取らずに、これらの機構を設置することができるものが開示されている。
【特許文献１】特開２００３−２０９６４６号公報